(57)【特許請求の範囲】
【請求項１】
第１の統制局と、上記第１の統制局と隣接する第２の統制局と、上記第１の統制局に接続される第１の通信方式を有する少なくとも第１の基地局と、上記第１の統制局に接続され、上記第１の通信方式とは異なる第２の通信方式を有する少なくとも第２の基地局と、上記第１、第２の基地局と無線回線で接続される移動局を有し、上記第１と第２の基地局は、異なる基地局識別信号を送信し、上記移動局は、上記第１の通信方式を有する第１の基地局からの識別信号を受信する第１の送受信部と、上記第２の通信方式の第２の基地局からの識別信号を受信する第２の送受信部と、上記第１の送受信部および上記第２の送受信部を制御する第１の制御部と、距離計とを有し、上記第１の制御部は、上記第２の統制局のゾーンと上記第１の統制局のゾーンとの境界から上記第１の基地局のゾーンと上記第２の基地局のゾーンとの境界までの距離を前もって記憶しておき、上記移動局が上記第２の統制局のゾーンから上記第１の基地局のゾーンを通り上記第２の基地局のゾーンに進入する際に、上記第２の統制局のゾーンと上記第１の統制局のゾーンとの境界からの距離を上記距離計で計測し、上記計測した距離が上記記憶した距離を超えた時点で、上記第１の送受信部から上記第２の送受信部へ切替えることを特徴とする無線通信システム。
【請求項２】
請求項１記載の無線通信システムにおいて、上記統制局は、上記第１の基地局と上記第２の基地局を切替接続する第２の制御部を有し、上記移動局は、上記第１の基地局または上記第２の基地局に基地局指定信号を送信する機能を有し、上記第２の制御部は、上記基地局指定信号に基づいて上記第１の基地局と上記第２の基地局を切替えることを特徴とする無線通信システム。
【発明の詳細な説明】
【技術分野】
【０００１】
本発明は、無線通信システムに関し、特に、異なる通信方式の混在した列車無線システムにおける通信方式の切替可能な無線通信システムに関するものである。
【背景技術】
【０００２】
従来、無線通信システムにおいては、列車等の移動局（以下移動局と称する。）が複数の基地局ゾーンにまたがって通信を行う場合、各基地局から異なる基地局識別信号を送信し、移動局では、受信した基地局識別信号を基地局指定信号として返送するといった一連のシーケンスを使用することによって、移動局と基地局の接続を行う方式が一般的であった。この方式によれば、次のゾーンが空いている場合は、接続の継続が可能であり、また、移動局が存在するゾーンを占有することができるため、通信効率が良い利点がある。
【０００３】
従来の無線通信システム（例えば、特許文献１参照）の一例を図５に示す。図５において、５０１、５０２は、電波の輻射および受信を行う漏洩同軸ケーブル（以下ＬＣＸケーブルと言う。）で、ＬＣＸケーブル５０１、５０２毎に異なる無線ゾーンを構成する。５０３は、ＬＣＸケーブル５０１に接続され、ＬＣＸケーブル５０１のＬＣＸゾーン（ＬＣＸゾーンＡと言う。）を構成する基地局Ａである。この基地局５０３は、アンテナ共用器５０５、受信機Ｒｘ５０６、送信機Ｔｘ５０７、基地局識別信号発生器５０８をもって無線基地局を構成する。同様に、５０４は、ＬＣＸケーブル５０２に接続され、ＬＣＸケーブル５０２のＬＣＸゾーン（ＬＣＸゾーンＢと言う。）を構成する基地局Ｂである。この基地局５０４は、アンテナ共用器５０９、受信機Ｒｘ５１０、送信機Ｔｘ５１１、基地局識別信号発生器５１２をもって無線基地局を構成する。各基地局５０３、５０４は、異なる基地局識別信号を送信し、移動局５３０は、受信した基地局識別信号を基地局指定信号として返送する。また、各基地局は、制御装置５２０にそれぞれ接続され、移動局５３０から返送された基地局指定信号を制御装置５２０に供給する。制御装置５２０は、基地局指定信号検出器５２１および５２２で検出された基地局指定信号に基づいて、切替器５２３を切り替えて受信する基地局系統を選択する。同様にして切替器５２４は、送信基地局系統を選択する。回線接続装置５２５は、制御装置５２０と電話等の端末５２６、５２７に接続されている。
【０００４】
一方、移動局５３０は、アンテナ５３１でＬＣＸケーブル５０１、５０２からの電波が受信され、共用器５３２を経由して受信機Ｒｘ５３３で復調され、回線接続装置５３６に供給される。また、受信機Ｒｘ５３３からの出力のもう一方は、基地局識別信号検出器５３５に供給され、その結果が回線接続装置５３６に出力される。回線接続装置５３６からの送信出力は、基地局識別信号に応じて、基地局指定信号と合成して送信機Ｔｘ５３４、共用器５３２を経由してアンテナ５３１から送信される。
【０００５】
次に、図５に示すシステムの動作について説明する。図５において、基地局Ａ５０３内の基地局識別信号発生器５０８から発生した信号は、送信機５０７から送信され、共用器５０５を経由して、常時ＬＣＸケーブル５０１から送信される。同様に、基地局Ｂ５０４内の基地局識別信号発生器５１２から発生した信号は、送信機５１１から送信され、共用器５０９を経由して常時ＬＣＸケーブル５０２から送信される。これら識別信号は、ＬＣＸゾーンＡとＬＣＸゾーンＢでは異なるものである。移動局５３０がＬＣＸゾーンＡを通過しているとき、移動局５３０のアンテナ５３１でＬＣＸケーブル５０１からの電波を受信し、共用器５３２、受信機５３３を経由して基地局識別信号検出器５３５で基地局識別信号ＣＣ１が検出される。
【０００６】
移動局５３０が送信する場合は、基地局指定信号としてＬＣＸゾーンＡを指定する信号を付加して送信することにより、ＬＣＸゾーンＡの基地局Ａ５０３と通信回線が接続される。移動局５３０がＬＣＸゾーンＡをはずれて隣接するＬＣＸゾーンＢに入った場合は、移動局５３０のアンテナ５３１でＬＣＸゾーンＢからの電波を受信することになり、基地局識別信号検出器５３５でＬＣＸゾーンＢの基地局Ｂ５０４の識別信号ＣＣ２を検出する。また、送信するときの基地局指定信号は、ＬＣＸゾーンＢを指定することにより、ＬＣＸゾーンＢの基地局Ｂ５０４と通信回線が接続される。上述したように移動局と複数の基地局の異なるゾーン間での通信が順次切替えられ通信がなされるように構成されている。なお、上記従来の例では、基地局Ａ５０３と基地局Ｂ５０４の２つの基地局で説明したが、実際には複数の基地局が数Ｋｍから数十Ｋｍの間隔で設置されている。
【０００７】
さて、最近の鉄道会社では、乗客の利便性や業務拡大あるいは乗客確保等の観点から２社、３社の鉄道会社が相互に車両の乗り入れを行う場合が発生している。また、鉄道会社内でも鉄道の設備更新は、別の通信方式の採用等の場合、全線の設備更新や別の通信方式への切替を一度に行うことはコスト面で問題があり、鉄道沿線の部分的な設備更新や別の通信方式の採用等を行う場合が発生している。このような場合、従来の方法では、例えば、通信方法が変更になる場合では、フレームを監視するとか、あるいは、列車の車輪の回転数により設備の変更されているゾーンまでの距離を求める等の方法で、例えば、方式等を切替える方法が考えられるが、フレームの監視では、フレームのタイミングを予測することが難しく、また、列車の車輪の回転数により設備の変更されているゾーンまでの距離を求める方法では、ブレーキや伝送遅延などが原因で精度のある測定はできない。また、列車無線システムの他に列車の車輪の回転数を計測する機器や、距離を計測する始点毎に個別の設定が必要となる等の問題があり、このような問題を解決できる無線通信システムの実現が望まれている。
【０００８】
【特許文献１】特開２０００−４９６８３号公報
【発明の開示】
【発明が解決しようとする課題】
【０００９】
鉄道会社が相互に車両の乗り入れを行う場合があり、また、同じ鉄道会社内でも鉄道の設備更新等により新旧のシステムが併存する場合があり、このような場合にも無線通信システムが両方式に使用できる無線通信システムの実現が望まれている。
【００１０】
本発明の目的は、異なる方式が混在する路線でも信頼性の高い無線通信システムを提供することである。
【００１１】
本発明の他の目的は、異なる方式が混在する路線でも方式切替がスムーズに行える無線通信システムを提供することである。
【課題を解決するための手段】
【００１２】
本発明の無線通信システムは、統制局と、上記統制局に接続される第１の通信方式を有する少なくとも第１の基地局と、上記統制局に接続され、上記第１の通信方式とは異なる第２の通信方式を有する少なくとも第２の基地局と、上記第１、第２の基地局と無線回線で接続される移動局を有し、上記第１と第２の基地局は、異なる基地局識別信号を送信し、上記移動局は、上記第１の通信方式を有する第１の基地局からの識別信号を受信する第１の送受信部と、上記第２の通信方式の第２の基地局からの識別信号を受信する第２の送受信部と、上記第１の送受信部および上記第２の送受信部を制御する第１の制御部を有し、上記第１の制御部は、少なくとも上記第１の基地局からの識別信号または上記第２の基地局からの識別信号のいずれかの識別信号に基づいて上記第１の通信方式と上記第２の通信方式の境界を検出し、上記検出結果に基づいて上記第１の送受信部と上記第２の送受信部を切替えるように構成される。
【００１３】
また、本発明の無線通信システムにおいて、更に、上記移動局の第１の送受信部および上記第２の送受信部は、それぞれ上記第１および第２の基地局から送信される信号の電界強度を検出する機能を有し、上記第１の送受信部または上記第２の送受信部のいづれか一方が所定の電界強度以下の電界強度を検出した場合、上記第１の制御部は、上記第１の送受信部と上記第２の送受信部を切替えるように構成される。
【００１４】
また、本発明の無線通信システムにおいて、上記統制局は、上記第１の基地局と上記第２の基地局を切替接続する第２の制御部を有し、上記移動局は、上記第１の基地局または上記第２の基地局に基地局指定信号を送信する機能を有し、上記第２の制御部は、上記基地局指定信号に基づいて上記第１の基地局と上記第２の基地局を切替えるように構成される。
【００１５】
また、本発明の無線通信システムにおいて、上記第１の通信方式と第２の通信方式は、アナログの異なる通信方式、デジタルの異なる通信方式またはアナログとデジタルの混在する通信方式のいずれかの通信方式であることを特徴とする無線通信システム。
【発明の効果】
【００１６】
以上説明したように、本発明によれば、異なる方式が混在する路線でも信頼性の高い無線通信システムを実現でき、また、方式切替がスムーズに行える無線通信システムが実現できる特徴がある。また、従来のように方式切替のために距離を計測する機器なしでも切替地点を自動的に認識し、切替えることができるので、ブレーキなどの要因によって生じる誤差を小さくすることができる等の特徴がある。
【発明を実施するための最良の形態】
【００１７】
以下、本発明の一実施例を図面を用いて説明する。図１は、本発明の一実施例の概略構成のブロック図を示す。図１において、１０１−Ａは、アナログＡ方式の統制局を表す。１０１−Ｂは、アナログＡ方式とアナログＢ方式の混在する統制局を表す。また、１０１−Ｃは、アナログＢ方式の統制局を表す。なお、統制局を代表する場合は、統制局１０１と称する。１０２−１（図示せず。）、・・・１０２−（ｍ−４）、１０２−（ｍ−３）、１０２−（ｍ−２）、１０２−（ｍ−１）、１０２−ｍは、それぞれ基地局Ａ１（図示せず。）、・・・基地局Ａ（ｍ−４）、基地局Ａ（ｍ−３）、基地局Ａ（ｍ−２）、基地局Ａ（ｍ−１）、基地局Ａｍを表す。なお、アナログＡ方式の基地局を代表する場合は、基地局Ａ１０２と称する。１０３−１、１０３−２、１０３−３、１０３−４、・・・１０３−ｎ（図示せず。）は、それぞれ基地局Ｂ１、基地局Ｂ２、基地局Ｂ３、基地局Ｂ４、・・・基地局Ｂｎ（図示せず。）を表す。なお、アナログＢ方式の基地局を代表する場合は、基地局Ｂ１０３と称する。１０４−１（図示せず。）、・・・１０４−（ｍ−４）、１０４−（ｍ−３）、１０４−（ｍ−２）、１０４−（ｍ−１）、１０４−ｍは、それぞれ漏洩同軸ケーブル（以下ＬＣＸと略称する。）１０４−１（図示せず。）、・・・ＬＣＸ（ｍ−４）、ＬＣＸ（ｍ−３）、ＬＣＸ（ｍ−２）、ＬＣＸ（ｍ−１）、ＬＣＸｍを表す。なお、アナログＡ方式のＬＣＸを代表する場合は、ＬＣＸ１０４と称する。１０５−１、１０５−２、１０５−３、１０５−４、・・・１０５−ｎ（図示せず。）は、それぞれＬＣＸ１、ＬＣＸ２、ＬＣＸ３、ＬＣＸ４、・・・ＬＣＸｎを表す。なお、アナログＢ方式のＬＣＸを代表する場合は、ＬＣＸ１０５と称する。１０６は、列車等の移動局を表している。
【００１８】
さて、上述した統制局１０１、基地局Ａ１０２、基地局Ｂ１０３、ＬＣＸ１０４およびＬＣＸ１０５は、それぞれ図１に示すように伝送路で接続され、また、通信ゾーン１（図示せず。）、・・・（ｍ−２）、（ｍ−１）、ｍ、１、２、・・・ｎ（図示せず。）毎に分かれて配置されている。ＬＣＸ１０４、１０５は、例えば、鉄道の線路に沿って敷設され、これらＬＣＸ１０４、１０５を介して移動局１０６と基地局Ａ１０２および基地局Ｂ１０３との間の通信が行われる。
【００１９】
ここで、アナログＡ方式とアナログＢ方式について説明する。先に説明したように、鉄道会社が相互に車両の乗り入れを行う場合とか、また、同じ鉄道会社内でも鉄道の設備更新等により新旧のシステムが併存される場合があることを説明した。このような場合、アナログＡ方式は、例えば、ＬＣＸから放出される周波数がＦ１、通信信号伝送のためのフレーム構成がＴ１であるのに対して、アナログＢ方式とは、例えば、ＬＣＸから放出される周波数がＦ２、通信信号伝送のためのフレーム構成がＴ２である場合が考えられる。このように周波数や信号のフレーム構成が異なる通信方式は、当然のことながら相互に通信を行うことは不可能である。本発明は、このように通信方式の異なる場合に両方の通信方式に対して送受信できる無線通信システムを実現するものである。なお、図１において、統制局Ａ１０１−Ａは、アナログＡ方式のゾーンに位置し、統制局１０１−Ｃは、アナログＢ方式のゾーンに位置している。しかしながら、統制局１０１−Ｂは、アナログＡ方式のゾーンとアナログＢ方式のゾーンとが混在するゾーンに位置している。そして、基地局Ａ１０２−（ｍ−４）、基地局Ａ１０２−（ｍ−３）は、統制局Ａ１０１−Ａのゾーンに位置し、基地局Ａ１０２−（ｍ−２）、基地局Ａ１０２−（ｍ−１）、基地局Ａ１０２−ｍ、基地局Ｂ１０３−１、基地局Ｂ１０３−２は、統制局Ｂ１０１−Ｂのゾーンに位置し、基地局Ｂ１０３−３、基地局Ｂ１０３−４は、統制局Ｃ１０１−Ｃのゾーンに位置している。
【００２０】
次に、統制局１０１および基地局１０２および１０３について図２および図３を用いて説明する。図２は、アナログＡ方式のゾーンに位置する基地局Ａ１０２−（ｍ−２）と基地局Ａ１０２−（ｍ−１）および統制局１０１−Ｂの一部分を示す概略構成のブロック図である。なお、基地局Ａ１０２−１〜基地局Ａ１０２−（ｍ−３）の（ｍ−３）個の基地局Ａは、全てアナログＡ方式のゾーンに位置するのでその構成は、全て図２に示す構成と同じであるので、基地局Ａ１０２−（ｍ−２）と基地局Ａ１０２−（ｍ−１）で代表して説明するものとする。同様に、基地局Ｂ１０３−２〜基地局Ｂ１０３−ｎの（ｎ−１）個の基地局Ｂは、全てアナログＢ方式のゾーンに位置するのでその構成は、全て図２に示す構成とほぼ同じである。異なるのは、例えば、アナログＡ方式か、アナログＢ方式かの違いのみである。従って、基地局Ａ１０２−（ｍ−２）と基地局Ａ１０２−（ｍ−１）で代表して説明するものとする。ここで、説明の都合上、アナログＡ方式とは、本実施例では、例えば、上述したＬＣＸから放出される周波数がＦ１、通信信号伝送のためのフレーム構成がＴ１であるような方式であり、アナログＢ方式とは、本実施例では、例えば、上述したＬＣＸから放出される周波数がＦ２、通信信号伝送のためのフレーム構成がＴ２であるような方式とするが、これに限定されるものではない。また、図２に示す実施例の構成および動作は、図５に示す従来の無線通信システムとほぼ同様であるので、ここでは簡単に説明する。
【００２１】
図２において、ゾーン（Ｍ−２）を構成する基地局Ａ１０２−（ｍ−２）は、アンテナ共用器２０１、受信機ＡＲｘ２０２、送信機ＡＴｘ２０３、基地局識別信号発生器２０４で構成されている。同様に、基地局Ａ１０２−（ｍ−１）は、アンテナ共用器２１０、受信機ＡＲｘ２１１、送信機ＡＴｘ２１２、基地局識別信号発生器２１３で構成されている。ここで、各基地局Ａ１０２−（ｍ−２）、１０２−（ｍ−１）は、それぞれ異なる基地局識別信号、例えば、識別ＩＤとしてＡＳ（ｍ−２）、ＡＳ（ｍ−１）を送信し、移動局１０６は、受信した基地局識別信号を基地局指定信号として返送する。また、各基地局は、制御部２２０にそれぞれ接続され、移動局１０６から返送された基地局指定信号を制御部２２０に供給する。制御部２２０は、基地局指定信号検出器２２１および２２２で検出された基地局指定信号に基づいて、切替器２２３を切替えて受信する基地局系統を選択する。同様にして切替器２２４は、送信基地局系統を選択する。回線接続装置２２５は、制御部２２０と電話等の端末２２６、２２７に接続されている。
【００２２】
図３は、統制局Ｂの一部分と、基地局Ａ１０２−ｍおよび基地局Ｂ１０３−１の概略構成のブロック図を示す。なお、基地局Ａ１０２−ｍと基地局Ｂ１０３−１とは、アナログＡ方式のゾーンからアナログＢ方式のゾーンに切替わるゾーンに位置している。図３において、基地局Ａ１０２−ｍは、ＬＣＸ１０４−ｍに接続され、ＬＣＸゾーンｍを構成する基地局Ａ１０２−ｍである。この基地局Ａ１０２−ｍは、アンテナ共用器３０１、アナログＡ方式受信機ＡＲｘ３０２、アナログＡ方式送信機ＡＴｘ３０３、基地局識別信号ＡＳｍを発生する基地局識別信号発生器３０４で構成されている。また、基地局Ｂ１０３−１は、ＬＣＸ１０５−１に接続され、ＬＣＸ１０５−１のＬＣＸゾーン１を構成する基地局Ｂ１０３−１である。この基地局Ｂ１０３−１は、アンテナ共用器３１０、アナログＢ方式受信機ＢＲｘ３１１、アナログＢ方式送信機ＢＴｘ３１２、基地局識別信号ＢＳ１を発生する基地局識別信号発生器３１３をもって無線基地局を構成する。従って、各基地局Ａ１０２−ｍおよび基地局Ｂ１０３−１は、異なる基地局識別信号ＡＳｍおよびＢＳ１を送信する。
【００２３】
３０５は、基地局Ａ１０２−ｍを介して後述する移動局１０６から送られてくる基地局指定信号を検出する基地局指定信号検出部である。３０６は、インターフェース部（Ｉ／Ｆ部）であり、このＩ／Ｆ部３０６を介して基地局Ａ１０２−ｍは、回線接続装置３２４と接続される。また、３１４は、基地局Ｂ１０３−１を介して後述する移動局１０６から送られてくる基地局指定信号を検出する基地局指定信号検出部である。３１５は、インターフェース部（Ｉ／Ｆ部）であり、このＩ／Ｆ部３１５を介して基地局Ｂ１０３−１は、回線接続装置３２４と接続される。３２１は、制御部（第２の制御部という。）であり、基地局指定信号検出部３０５および３１４からの基地局指定信号が入力され、この基地局指定信号に基づいてＩ／Ｆ部３０６および３１５が制御される。３２２は、カウンタ、３２３は、記憶部である。また、３２５、３２６は、電話等の端末装置である。
【００２４】
図４は、移動局１０６の概略構成のブロック図を示す。図４において、４０１は、アナログＡ方式送受信部、４０２は、アナログＢ方式送受信部、４０３は、制御部（第１の制御部という。）、４０４は、回線接続装置、４０５、４０６は、電話等の端末装置である。アナログＡ方式送受信部４０１は、アンテナ４１１、アンテナ共用器４１２、アナログＡ方式受信部４１３、アナログＡ方式送信部４１４、基地局識別信号を検出する基地局識別信号検出器４１５、Ｉ／Ｆ部４１６で構成されている。また、アナログＢ方式送受信部４０２は、アンテナ４２１、アンテナ共用器４２２、アナログＢ方式受信部４２３、アナログＢ方式送信部４２４、基地局識別信号を検出する基地局識別信号検出器４２５、Ｉ／Ｆ部４２６で構成されている。また、制御部４０３は、カウンタ４３１および記憶部４０３を有し、基地局識別信号検出器４１５および４２４からの検出信号に基づいてＩ／Ｆ部４１６および４２６を制御する。
【００２５】
次に、図１〜４を用いて本発明の無線通信システムの動作を説明する。まず、移動局１０６は、図１に示す矢印の方向に進行しているものとする。そして、この移動局１０６が、基地局Ａ１０２−（ｍ−２）のゾーン（ｍ−２）を通過している場合について図２を用いて説明する。基地局Ａ１０２−（ｍ−２）内の基地局識別信号発生器２０４で発生された基地局識別信号ＡＳ（ｍ−２）は、アナログＡ方式送信部２０３から送信され、共用器２０１を経由して、常時ＬＣＸケーブル１０４−（ｍ−２）から送信される。この時のアナログＡ方式は、前述のように、例えば、周波数Ｆ１、通信信号伝送のためのフレーム構成がＴ１であるような信号が送信される。同様に、基地局Ａ１０２−（ｍ−１）内の基地局識別信号発生器２１３で発生された基地局識別信号ＡＳ（ｍ−１）は、アナログＡ方式送信部２１２から送信され、共用器２１０を経由して常時ＬＣＸケーブル１０４−（ｍ−１）から送信される。
【００２６】
而して、移動局１０６が基地局Ａ１０２−（ｍ−２）のゾーン（ｍ−２）を通過していると、移動局１０６のアナログＡ方式送受信部４０１が基地局Ａ１０２−（ｍ−２）と信号の送受信を行う。即ち、アンテナ４１１がＬＣＸケーブル１０４−（ｍ−２）からの電波を受信し、共用器４１２、アナログＡ方式受信部４１３を経由して基地局識別信号検出器４１５で基地局識別信号ＡＳ（ｍ−２）を検出する。この信号を検出すると、基地局識別信号検出器４１５は、制御部４０３に基地局識別信号ＡＳ（ｍ−２）を供給する。制御部４０３では、この信号を受けると、カウンタ４３１で基地局Ａ１０２−（ｍ−２）をカウントし、Ｉ／Ｆ部４１６を回線接続装置４０４に接続するように制御する。なお、制御部４０３の動作については、後述する。
【００２７】
一方、基地局識別信号ＡＳ（ｍ−２）を検出した移動局１０６は、基地局Ａ１０２−（ｍ−２）を指定する信号、例えば、基地局指定信号ＡＳ（ｍ−２）を、移動局１０６から送信する信号に添付して送信する。移動局１０６から基地局指定信号ＡＳ（ｍ−２）を添付された信号は、回線接続装置４０４からＩ／Ｆ部４１６、アナログＡ方式送信部４１４、共用器４１２、アンテナ４１１からＬＣＸケーブル１０４−（ｍ−２）に送信する。基地局Ａ１０２−（ｍ−２）は、ＬＣＸケーブル１０４−（ｍ−２）から移動局１０６からの信号を受信すると、共用器２０１、アナログＡ方式受信部２０２を介して基地局指定信号検出部２２１で、基地局指定信号ＡＳ（ｍ−２）を検出し、切替器２２３、２２４に供給する。切替器２２３、２２４は、基地局１０２の切替を制御する機能を有している。なお、本実施例では、切替器２２３、２２４は、基地局Ａ１０２−（ｍ−２）および基地局Ａ１０２−（ｍ−１）の切替のみ示しているが、３以上の基地局がある場合には、それぞれについて切替動作をする機能を有している。図２の場合、基地局指定信号ＡＳ（ｍ−２）を検出しているので、切替器２２３、２２４は、移動局１０６がゾーン（ｍ−２）を通過中であると判断し、回線接続装置２２５をアナログＡ方式受信部２０２およびアナログＡ方式送信部２０３に接続する。これによって移動局１０６の端末装置４０５、４０６と統制局Ｂの端末装置２２６、２２７が通話することができる。なお、本実施例では、基地局識別信号ＡＳ（ｍ−２）と基地局指定信号ＡＳ（ｍ−２）を同じ信号としているが、基地局指定信号を基地局識別信号と異なるようにすることもできる。
【００２８】
同様に、移動局１０６が基地局Ａ１０２−（ｍ−１）のゾーン（ｍ−１）に進入すると、移動局１０６のアナログＡ方式送受信部４０１が基地局Ａ１０２−（ｍ−１）と信号の送受信を行う。即ち、アンテナ４１１がＬＣＸケーブル１０４−（ｍ−１）からの電波を受信し、共用器４１２、アナログＡ方式受信部４１３を経由して基地局識別信号検出器４１５で基地局識別信号ＡＳ（ｍ−１）を検出する。この信号を検出すると、基地局識別信号検出器４１５は、制御部４０３に基地局識別信号ＡＳ（ｍ−１）を供給する。制御部４０３では、この信号を受けると、カウンタ４３１で基地局Ａ１０２−（ｍ−１）をカウントし、Ｉ／Ｆ部４１６を回線接続装置４０４に接続するように制御する。なお、制御部４０３の動作については、後述する。
【００２９】
一方、基地局識別信号ＡＳ（ｍ−１）を検出した移動局１０６は、基地局Ａ１０２−（ｍ−１）を指定する信号、例えば、基地局指定信号ＡＳ（ｍ−１）を、移動局１０６から送信する信号に添付して送信する。移動局１０６から基地局指定信号ＡＳ（ｍ−１）を添付された信号は、回線接続装置４０４からＩ／Ｆ部４１６、アナログＡ方式送信部４１４、共用器４１２、アンテナ４１１からＬＣＸケーブル１０４−（ｍ−１）に送信する。基地局Ａ１０２−（ｍ−１）は、ＬＣＸケーブル１０４−（ｍ−１）から移動局１０６からの信号を受信すると、共用器２１０、アナログＡ方式受信部２１１を介して基地局指定信号検出部２２２で、基地局指定信号ＡＳ（ｍ−１）を検出し、切替器２２３、２２４に供給する。切替器２２３、２２４は、前述したように基地局１０２の切替を制御する機能を有している。そして、図２の場合、基地局指定信号ＡＳ（ｍ−１）を検出しているので、切替器２２３、２２４は、移動局１０６がゾーン（ｍ−１）を通過中であると判断し、回線接続装置２２５をアナログＡ方式受信部２１１およびアナログＡ方式送信部２１２に接続する。これによって移動局１０６の端末装置４０５、４０６と統制局Ｂの端末装置２２６、２２７が通話することができる。このようにして移動局１０６の進行に合わせて基地局１０２が順次切替えられ、移動局１０６と基地局１０２が通信できるように構成されている。
【００３０】
以上の説明では、同一の通信方式、即ち、上記実施例では、アナログＡ方式のゾーンを移動局１０６が通過している場合、上記の切替で順次基地局１０２が切替えられ、通信が継続される。しかしながら、通信方式が異なる場合、例えば、移動局１０６がアナログＡ方式のゾーンからアナログＢ方式のゾーンに侵入する場合、即ち、基地局Ａ１０２―ｍから基地局Ｂ１０３−１に移動局１０６が移動する場合、上記のように切替を行うことができない。これは、基地局Ａ１０２―ｍと基地局Ｂ１０３−１の通信方式が異なるため、移動局１０６のアナログＡ方式送受信部４０１は、基地局Ｂ１０３−１からの信号を受信できないことによる。
【００３１】
本発明は、これを解決するものである。これについて図３、図４を用いて説明する。まず、図３および図４に示す制御部３２１の記憶部３２３および制御部４０３の記憶部４３２には、表１に示される基地局ＩＤ（または番号）とゾーン渡りカウンタＮｏ．が記憶されている。以下、このテーブルを基地局ＩＤテーブルと称する。
【００３２】
【表１】
0004685689.tif 000002
表１において、通信方式は、アナログＡ方式、アナログＢ方式を表し、基地局名（またはＩＤ）は、図１に示す各基地局１０２および１０３を表す。ゾーン渡りカウンタＮｏ．は、移動局１０６が所定の基地局のゾーンから次の基地局のゾーンへ移るときに各制御部３２１のカウンタ３２２および制御部４０３のカウンタ４３１のカウント番号をカウントする、所謂、ゾーン渡りカウンタＮｏ．を表している。
【００３３】
さて、先に説明したように移動局１０６が基地局Ａ１０２−（ｍ−１）を通過中の場合、基地局指定信号ＡＳ（ｍ−１）が切替器２２３および２２４に供給されることを説明した。これら切替器２２３および２２４の基地局指定信号ＡＳ（ｍ−１）は、制御部３２１にも供給される（図示せず。）。従って、各制御部３２１および４０３では、それぞれの記憶部３２３および４３２に記憶されている表１に示される基地局ＩＤテーブルを参照することにより移動局１０６がどの基地局の通信ゾーンを通過中であるかが分かる。
【００３４】
次に、移動局１０６が基地局Ａ１０２−ｍのゾーンｍから基地局Ｂ１０３−１のゾーン１に移動する場合について説明する。まず、基地局Ａ１０２−ｍ内の基地局識別信号発生器３０３で発生された基地局識別信号ＡＳｍは、アナログＡ方式送信部３０３から送信され、共用器３０１を経由して、常時ＬＣＸケーブル１０４−ｍから送信される。一方、基地局Ｂ１０３−１内の基地局識別信号発生器３１３で発生された基地局識別信号ＢＳ１は、アナログＢ方式送信部３１２から送信され、共用器３１０を経由して常時ＬＣＸケーブル１０５−１から送信される。
【００３５】
而して、移動局１０６が基地局Ａ１０２−ｍのゾーンｍを通過している間、移動局１０６のアナログＡ方式送受信部４０１が基地局Ａ１０２−ｍと信号の送受信を行う。即ち、アンテナ４１１がＬＣＸケーブル１０４−ｍからの電波を受信し、共用器４１２、アナログＡ方式受信部４１３を経由して基地局識別信号検出器４１５で基地局識別信号ＡＳｍを検出する。この信号を検出すると、基地局識別信号検出器４１５は、制御部４０３に基地局識別信号ＡＳｍを供給する。制御部４０３では、この信号を受けると、表１に示す基地局ＩＤテーブルに基づいてカウンタ４３１は、ゾーン渡りカウンタＮｏ．を１つインクリメントし、“１９”とする。ここで、ｍは、例えば、２０とする。即ち、アナログＡ方式の基地局が２０基地局あるとした場合である。そして、ゾーン渡りカウンタＮｏ．１９は、まだ、アナログＡ方式の基地局であることが分かる。従って、制御部４０３は、Ｉ／Ｆ部４１６を回線接続装置４０４に接続するように制御する。
【００３６】
一方、基地局識別信号ＡＳｍを検出した移動局１０６は、基地局Ａ１０２−ｍを指定する信号、例えば、基地局指定信号ＡＳｍを、移動局１０６から送信する信号に添付して送信する。移動局１０６から基地局指定信号ＡＳｍを添付された信号は、回線接続装置４０４からＩ／Ｆ部４１６、アナログＡ方式送信部４１４、共用器４１２、アンテナ４１１からＬＣＸケーブル１０４−ｍに送信する。基地局Ａ１０２−ｍは、ＬＣＸケーブル１０４−ｍから移動局１０６からの信号を受信すると、共用器３０１、アナログＡ方式受信部３０２を介して基地局指定信号検出部３０５で、基地局指定信号ＡＳｍを検出する。検出された基地局指定信号ＡＳｍは、制御部３２１に供給される。制御部３２１では、この信号を受けると、表１に示す基地局ＩＤテーブルに基づいてカウンタ３２２は、ゾーン渡りカウンタＮｏ．を１つインクリメントし、“１９”とする。
【００３７】
制御部３２１では、記憶部３２３に記憶されている表１に示す基地局ＩＤテーブルから、まだ、基地局Ａ１０２−ｍを通過中であることが分かるので、制御部３２１は、Ｉ／Ｆ部３０６を制御して、回線接続装置３２４を基地局１０２−ｍに接続する。これによって移動局１０６の端末装置４０５、４０６と統制局１０１−Ｂの端末装置３２５、３２６が通話することができる。
【００３８】
次に、移動局１０６が、更に、走行し、基地局Ｂ１０３−１のゾーン１に入ったとすると、移動局１０６のアナログＡ方式送受信部４０１は、アナログＢ方式の基地局Ｂ１０３−１と接続されているＬＣＸケーブル１０５−１からの信号を受信できない。しかしながら、移動局１０６のアナログＢ方式送受信部４０２は、アナログＢ方式の基地局Ｂ１０３−１と接続されているＬＣＸケーブル１０５−１からの信号を受信することができる。
【００３９】
さて、統制局１０１−Ｂの制御部３２１と移動局１０６の制御部４０３では、先に説明したようにゾーン渡りカウンタＮｏ．１９をカウントすると、次のゾーン渡りカウンタＮｏ．２０では、アナログＡ方式のゾーンからアナログＢ方式のゾーンに切替わることが前もって記憶部３２３および４０３に記憶されているので、移動局１０６の進行する所定の時点で制御部１０１−Ｂの制御部３２１は、Ｉ／Ｆ部３０６をＯＦＦし、Ｉ／Ｆ部３１５をＯＮし、回線制御装置３２４をアナログＢ方式の基地局１０３−１に接続する。同様に、移動局１０６の制御部４０３は、Ｉ／Ｆ部４１６をＯＦＦし、Ｉ／Ｆ部４２６をＯＮし、回線接続装置４０４をアナログＢ方式送受信部４０２に接続する。同時に、制御部３２１および４０３のカウンタ３２２および４３１を１つインクリメントして、ゾーン渡りカウンタＮｏ．を“２０”とする。
【００４０】
その結果、基地局Ｂ１０３−１内の基地局識別信号発生器３１２で発生された基地局識別信号ＢＳ１は、アナログＢ方式送信部３１２から送信され、共用器３１０を経由して、ＬＣＸケーブル１０５−１から送信される。
【００４１】
従って、移動局１０６のアナログＢ方式送受信部４０２が基地局Ｂ１０３−１と信号の送受信を行う。即ち、アンテナ４２１がＬＣＸケーブル１０５−１からの電波を受信し、共用器４２２、アナログＢ方式受信部４２３を経由して基地局識別信号検出器４２５で基地局識別信号ＢＳ１を検出する。この信号を検出すると、基地局識別信号検出器４２５は、制御部４０３に基地局識別信号ＢＳ１を供給する。これによって回線接続装置４０４は、送信信号に基地局指定信号ＢＳ１を添付してＩ／Ｆ部４２６、アナログＢ方式送信部４２４、共用器４２２、アンテナ４２１からＬＣＸケーブル１０５−１に送信する。基地局Ｂ１０３−１では、移動局１０６からの信号を共用器３１０、アナログＢ方式受信部３１１、基地局指定信号検出器３１４に供給する。基地局指定信号検出器３１４では、移動局１０６から送信された基地局指定信号ＢＳ１を検出し、制御部３２１に供給する。制御部３２１では、基地局指定信号ＢＳ１に基づき、カウンタ３２２を１つインクリメントして、ゾーン渡りカウンタＮｏ．を２０とする。更に、移動局１０６が順次基地局１０３を通過するに従って、前述したアナログＢ方式の基地局１０３と順次切替わることは、アナログＡ方式の基地局１０２で説明した場合と同様であるので、詳細な説明は省略する。
【００４２】
なお、上記実施例では、記憶部３２３および４３２に表１に示すように、例えば、列車の沿線の全基地局を記憶した場合について説明したが、表２に示すように、アナログＡ方式からアナログＢ方式に変わる統制局１０１−Ｂに所属する基地局のみを記憶することもできる。また、この方が記憶部の記憶容量や、カウンタのカウント回数も少なくすることができる。
【００４３】
【表２】
0004685689.tif 000003
表２において、通信方式は、アナログＡ方式、アナログＢ方式を表し、基地局名（またはＩＤ）は、図１に示す統制局１０１−Ｂに所属する基地局を表す。ゾーン渡りカウンタＮｏ．は、移動局１０６が各基地局のゾーンをわたる場合にカウントされるカウントＮｏ．０〜５を示している。従って、表２においては、アナログＡ方式からアナログＢ方式に変わる場合のゾーン渡りカウンタＮｏ．は、“３”となる。
【００４４】
次に、先の説明で移動局１０６の進行に従って基地局を順次切替える方法について説明する。まず、アナログＡ方式のゾーンに位置する基地局Ａ１０２−１〜基地局Ａ１０２−（ｍ−１）の切替について図６を用いて説明する。各基地局ゾーンの境界でのＬＣＸケーブルは、図６に示されるようになっている。図６において、横軸は、距離を、縦軸は、ＬＣＸケーブルから漏洩される電波の電界強度Ｅを示している。また、６０１は、ＬＣＸケーブル１からの漏洩電波の電界強度曲線、６０２は、ＬＣＸケーブル２からの漏洩電波の電界強度曲線を示している。そして、Ｌは、ＬＣＸケーブルの間隙を示し、約１ｍから数ｍの長さである。この図６から明らかなようにＬＣＸケーブル１と２の間隙部分Ｌでは、電界強度が減少し、基地局ゾーンが変わることを示している。即ち、基地局指定信号が変わることに相当する。
【００４５】
これについて基地局Ａ１０２−（ｍ−２）と基地局Ａ１０２−（ｍ−１）を例にして説明する。移動局１０６が基地局Ａ１０２−（ｍ−２）のゾーン（ｍ−２）を移動している場合、移動局１０６のアナログＡ方式送受信部４０１のアナログＡ方式受信部４１３は、基地局Ａ１０２−（ｍ−２）のＬＣＸケーブル１０４−（ｍ−２）（図６に示すＬＣＸ１に相当する。）から十分なレベルの電波が受信され、これによって基地局Ａ１０２−（ｍ−２）と通信が行われている。移動局１０６のアンテナ４１１が次第にＬＣＸケーブル１と２の間隙部分Ｌに近づくと、アナログＡ方式受信部４１３で受信できる漏洩電波の電界強度が電界強度曲線６０１で示されるように次第に減少し、遂に、閾値Ｅｔｈ以下に減少する。この情報は、アナログＡ方式受信部４１３から制御部４０３に供給される。なお、本実施例では、電界強度は、例えば、アンテナ４１１から入力されるアナログＡ方式受信部４１３のＲＦ増幅部（図示せず。）の利得を検出することで計測することができる。以下の説明でも同様である。
【００４６】
一方、移動局１０６のアナログＡ方式送受信部４０１のアナログＡ方式受信部４１３には、基地局Ａ１０２−（ｍ−１）のＬＣＸケーブル１０４−（ｍ−１）（図６に示すＬＣＸ２に相当する。）からの信号が受信され始め、移動局１０６の進行に従って、アナログＡ方式受信部４１３で受信できる漏洩電波の電界強度が電界強度曲線６０２で示されるように次第に増加し、遂に、閾値Ｅｔｈ以上に増加する。この情報は、アナログＡ方式受信部４１３から制御部４０３に供給される。従って、制御部４０３では、ＬＣＸケーブル１０４−（ｍ−２）からの電界強度が閾値Ｅｔｈ以下に減少する時点（またはＬＣＸケーブル１０４−（ｍ−１）からの電界強度が閾値Ｅｔｈ以上に増加する時点）で、カウンタ４３１を１つインクリメントして、ゾーン渡りカウンタＮｏ．を“１９”とする。なお、このようにカウンタ４３１を１つインクリメントして、ゾーン渡りカウンタＮｏ．を１づつ増加する方法は、他の基地局ゾーンを変更する場合も同様である。また、閾値Ｅｔｈは、前もって実験的に定めておくことができる。
【００４７】
次に、基地局Ａ１０２−ｍと基地局Ｂ１０３−１のゾーン切替について説明する。この場合のゾーン切替は、アナログＡ方式の通信方式からアナログＢ方式の通信方式に切替が必要である。まず、移動局１０６が基地局Ａ１０２−ｍのゾーンｍを移動している場合、移動局１０６のアナログＡ方式送受信部４０１のアナログＡ方式受信部４１３は、基地局Ａ１０２−ｍのＬＣＸケーブル１０４−ｍ（図６に示すＬＣＸ１に相当する。）から十分なレベルの電波が受信され、これによって基地局Ａ１０２−ｍと通信が行われている。移動局１０６のアンテナ４１１が次第にＬＣＸケーブル１と２の間隙部分Ｌに近づくと、アナログＡ方式受信部４１３で受信できる漏洩電波の電界強度が電界強度曲線６０１で示されるように次第に減少し、遂に、閾値Ｅｔｈ以下に減少する。この情報は、アナログＡ方式受信部４１３から制御部４０３に供給される。更に、移動局１０６が進行すると、遂には、アナログＡ方式受信部４１３では、基地局Ａ１０２−ｍの信号を受信できなくなる。勿論、アナログＡ方式受信部４１３は、通信方式の異なるアナログＢ方式の基地局Ｂ１０３−１との通信はできない。
【００４８】
従って、本発明では、アナログＡ方式の通信方式からアナログＢ方式の通信方式に切替えるタイミングを表３に示す条件に設定している。
【００４９】
【表３】
0004685689.tif 000004
即ち、表３に示すようにアナログＡ方式受信部４１３で受信できる漏洩電波の電界強度Ｅ（図６の電界強度曲線６０１で示される電界強度）が次第に減少し、閾値Ｅｔｈ以下（Ｅ≦Ｅｔｈ）となった場合、制御部４０３は、記憶部４３２に記憶されているゾーン渡りカウンタＮｏ．を参照し、その時点で、ゾーン渡りカウンタＮｏ．が“１９”であれば、制御部４０３は、Ｉ／Ｆ部４１６をＯＦＦし、Ｉ／Ｆ部４２６をＯＮする。これによってアナログＢ方式送受信部４０２が回線接続装置４０４に接続される。その結果、移動局１０６のアナログＢ方式送受信部４０２のアナログＡ方式受信部４２３には、基地局Ｂ１０３−１のＬＣＸケーブル１０５−１（図６のＬＣＸ２に相当する。）からの信号が受信され始め、移動局１０６の進行に従って、アナログＢ方式受信部４２３で受信できる漏洩電波の電界強度が電界強度曲線６０２で示されるように次第に増加する。これによって移動局１０６のアナログＢ方式送受信部４０２は、アナログＢ方式の基地局Ｂ１０３−１と通信を行うことができる。
【００５０】
上記実施例では、基地局および移動局のゾーン切替について説明したが、統制局１０１−Ａ、統制局１０１−Ｂあるいは統制局１０１−Ｃも相互に情報の交換が行われるので、当然、通信方式が異なる場合、相互に通信が可能なように方式等を共通化するための変換が必要である。従って、相互に必要なインターフェースを有することは言うまでもないが、図１の実施例では、省略してある。以下の実施例でも同様である。
【００５１】
以上、詳細に説明したが、上記実施例では、アナログＡ方式の通信方式からアナログＢ方式の通信方式に切替えるタイミングをアナログＡ方式の通信方式の場合の電界強度が所定の電界強度の閾値Ｅｔｈ以下になる時点として説明したが、これに限定されるものではなく、例えば、移動局１０６が統制局１０１−Ａのゾーンから統制局１０１−Ｂのゾーンに進入した時点からの距離を計測することによりＩ／Ｆ部４１６、Ｉ／Ｆ部４２６を切替えるようにすることもできる。この場合、記憶部４３２には、前もって統制局１０１−Ａのゾーンと統制局１０１−Ｂのゾーンとの境界から基地局Ａ１０２−ｍのゾーンと基地局Ｂ１０３−１のゾーンとの境界までの距離を記憶し、移動局１０６に取り付けられた距離計と比較し、基地局Ａ１０２−ｍのゾーンと基地局Ｂ１０３−１のゾーンとの境界を超えた時点で制御部４０３がＩ／Ｆ部４１６、Ｉ／Ｆ部４２６を切替えるようにすることもできる。また、このように統制局１０１−Ａのゾーンと統制局１０１−Ｂのゾーンとの境界から基地局Ａ１０２−ｍのゾーンと基地局Ｂ１０３−１のゾーンとの境界までの距離に基づいてＩ／Ｆ部４１６、Ｉ／Ｆ部４２６を切替えるようにすることにより、移動局の始発から長い距離を計測する必要がなく、また、計測距離が短いので、切替のタイミングの精度が向上する利点がある。勿論、電界強度が所定の電界強度の閾値Ｅｔｈ以下になる時点を切替のタイミングとする上記の実施例は、最も精度が信頼できる特徴がある。
【００５２】
図７は、本発明の他の一実施例の概略構成のブロック図を示す。図７に示す実施例では、全てデジタル方式であるが、デジタルＡ方式とデジタルＢ方式が混在する場合を示している。図７において、７０１−Ａは、デジタルＡ方式の統制局を表す。７０１−Ｂは、デジタルＡ方式とデジタルＢ方式の混在する統制局を表す。また、７０１−Ｃは、デジタルＢ方式の統制局を表す。なお、デジタル統制局を代表する場合は、デジタル統制局７０１と称する。７０２−１（図示せず。）、・・・７０２−（ｍ−４）、７０２−（ｍ−３）、７０２−（ｍ−２）、７０２−（ｍ−１）、７０２−ｍは、それぞれデジタル基地局Ａ１（図示せず。）、・・・デジタル基地局Ａ（ｍ−４）、デジタル基地局Ａ（ｍ−３）、デジタル基地局Ａ（ｍ−２）、デジタル基地局Ａ（ｍ−１）、デジタル基地局Ａｍを表す。なお、デジタルＡ方式の基地局を代表する場合は、デジタル基地局Ａ７０２と称する。７０３−１、７０３−２、７０３−３、７０３−４、・・・７０３−ｎ（図示せず。）は、それぞれデジタル基地局Ｂ１、デジタル基地局Ｂ２、デジタル基地局Ｂ３、デジタル基地局Ｂ４、・・・デジタル基地局Ｂｎ（図示せず。）を表す。なお、デジタルＢ方式の基地局を代表する場合は、デジタル基地局Ｂ７０３と称する。７０４−１（図示せず。）、・・・７０４−（ｍ−４）、７０４−（ｍ−３）、７０４−（ｍ−２）、７０４−（ｍ−１）、７０４−ｍは、それぞれ漏洩同軸ケーブルＬＣＸ１（図示せず。）（以下漏洩同軸ケーブルをＬＣＸと略称する。）、・・・ＬＣＸ（ｍ−４）、ＬＣＸ（ｍ−３）、ＬＣＸ（ｍ−２）、ＬＣＸ（ｍ−１）、ＬＣＸｍを表す。なお、ＬＣＸを代表する場合は、ＬＣＸ７０４と称する。７０５−１、７０５−２、７０５−３、７０５−４、・・・７０５−ｎ（図示せず。）は、それぞれＬＣＸ１、ＬＣＸ２、ＬＣＸ３、ＬＣＸ４、・・・ＬＣＸｎを表す。なお、ＬＣＸを代表する場合は、ＬＣＸ７０５と称する。７０６は、列車等の移動局を表している。
【００５３】
さて、上述したデジタル統制局７０１、デジタル基地局Ａ７０２、デジタル基地局Ｂ７０３、ＬＣＸ７０４およびＬＣＸ７０５は、それぞれ図７に示すように伝送路で接続され、また、通信ゾーン１（図示せず。）、・・・（ｍ−２）、（ｍ−１）、ｍ、１、２、・・・ｎ（図示せず。）毎に分かれて配置されている。ＬＣＸ７０４、７０５は、例えば、鉄道の線路に沿って敷設され、これらＬＣＸ７０４、７０５を介して移動局７０６とデジタル基地局Ａ７０２およびデジタル基地局Ｂ７０３との間の通信が行われる。
【００５４】
さて、図７に示されるデジタル方式の無線通信システムは、図１に示されるアナログ方式の無線通信システムとほぼ同じである。即ち、デジタル方式の無線通信システムは、回路構成が全てデジタル回路で構成され、伝送される信号もデジタル信号である点を除けば、アナログ方式の無線通信システムと同じである。また、移動局７０６も全てデジタル回路で構成され、図４に示されるアナログ方式の移動局と実質的に同じである。即ち、アナログＡ方式送受信部がデジタルＡ方式送受信部に、また、アナログＢ方式送受信部がデジタルＢ方式送受信部に変更になる程度であるので、デジタル方式の移動局の構成については、説明を省略する。また、デジタル方式の無線通信システムの動作についてのアナログ方式と類似しているので、説明は省略する。
【００５５】
図８は、本発明の更に他の一実施例の概略構成のブロック図を示す。図８に示す実施例では、デジタル方式とアナログ方式が混在する場合を示している。図８において、８０１−Ａは、デジタルＡ方式の統制局を表し、図７に示すデジタルＡ方式の統制局７０１−Ａと同じである。８０１−Ｂは、デジタルＡ方式とアナログＢ方式の混在する統制局を表す。これについては後述する。また、８０１−Ｃは、アナログＢ方式の統制局を表し、図１に示すアナログＢ方式の統制局１０１−Ｃと同じである。８０２−（ｍ−４）、８０２−（ｍ−３）、８０２−（ｍ−２）、８０２−（ｍ−１）、８０２−ｍは、デジタルＡ方式の基地局を表し、図７に示すデジタル基地局Ａ７０２−（ｍ−４）、デジタル基地局Ａ７０２−（ｍ−３）、デジタル基地局Ａ７０２−（ｍ−２）、デジタル基地局Ａ７０２−（ｍ−１）、デジタル基地局Ａ７０２−ｍに対応する。なお、デジタル基地局を代表する場合は、デジタル基地局Ａ８０２と称する。また、８０３−１、８０３−２、８０３−３、８０３−４、は、それぞれアナログ基地局Ｂを表し、図１に示すアナログ基地局Ｂ１０３−１、アナログ基地局Ｂ１０３−２、アナログ基地局Ｂ１０３−３、アナログ基地局Ｂ１０３−４に対応する。なお、アナログ基地局を代表する場合は、アナログ基地局Ｂ８０３と称する。
【００５６】
また、８０４−（ｍ−４）、８０４−（ｍ−３）、８０４−（ｍ−２）、８０４−（ｍ−１）、８０４−ｍは、それぞれ漏洩同軸ケーブルＬＣＸ（ｍ−４）、ＬＣＸ（ｍ−３）、ＬＣＸ（ｍ−２）、ＬＣＸ（ｍ−１）、ＬＣＸｍを表し、図７に示す漏洩同軸ケーブルＬＣＸ７０４―（ｍ−４）、ＬＣＸ７０４―（ｍ−３）、ＬＣＸ７０４―（ｍ−２）、ＬＣＸ７０４―（ｍ−１）、ＬＣＸ７０４―ｍに対応する。８０５−１、８０５−２、８０５−３、８０５−４は、それぞれＬＣＸ１、ＬＣＸ２、ＬＣＸ３、ＬＣＸ４を表し、図１に示すＬＣＸ１０５−１、ＬＣＸ１０５−２、ＬＣＸ１０５−３、ＬＣＸ１０５−４に対応する。８０６は、移動局である。
【００５７】
さて、上述したデジタル統制局８０１―Ａ、統制局８０１−Ｂ、アナログ統制局８０１−Ｃ、デジタル基地局Ａ８０２、アナログ基地局Ｂ８０３、ＬＣＸ８０４およびＬＣＸ８０５は、それぞれ図８に示すように伝送路で接続され、また、通信ゾーン毎に分かれて配置されている。ＬＣＸ８０４、８０５は、例えば、鉄道の線路に沿って敷設され、これらＬＣＸ８０４、８０５を介して移動局８０６とデジタル基地局Ａ８０２およびアナログ基地局Ｂ８０３との間の通信が行われる。
【００５８】
図９は、統制局８０１−Ｂの一部分と、デジタル基地局Ａ８０２−ｍおよびアナログ基地局Ｂ８０３−１の概略構成のブロック図を示す。なお、デジタル基地局Ａ８０２−ｍとアナログ基地局Ｂ８０３−１とは、デジタルＡ方式のゾーンからアナログＢ方式のゾーンに切替わるゾーンに位置している。図９において、デジタル基地局Ａ８０２−ｍは、ＬＣＸ８０４−ｍに接続され、ＬＣＸゾーンｍを構成するデジタル基地局Ａ８０２−ｍである。このデジタル基地局Ａ８０２−ｍは、アンテナ共用器９０１、デジタルＡ方式受信機ＡＲｘ９０２、デジタルＡ方式送信機ＡＴｘ９０３、基地局識別信号ＡＳｍ、例えば、ｍを２０とすると、デジタル信号“１０１００”（アナログ番号２０に相当するデジタル信号）を発生する基地局識別信号発生器９０４で構成されている。９０５は、ＤＡＣ（デジタル／アナログ変換器）であり、デジタルＡ方式受信機ＡＲｘ９０２のデジタル信号をアナログ信号に変換し、統制局８０１−Ｂに供給する。９０６は、ＡＤＣ（アナログ／デジタル変換器）であり、統制局８０１−Ｂのアナログ出力信号をデジタル信号に変換し、デジタルＡ方式送信機ＡＴｘ９０３に供給する。
【００５９】
また、アナログ基地局Ｂ８０３−１は、ＬＣＸ８０５−１に接続され、ＬＣＸ８０５−１のＬＣＸゾーン１を構成するアナログ基地局Ｂ８０３−１である。このアナログ基地局８０３−１は、アンテナ共用器９１０、アナログＢ方式受信機ＢＲｘ９１１、アナログＢ方式送信機ＢＴｘ９１２、基地局識別信号ＢＳ１、例えば、Ｎｏ．２１を発生する基地局識別信号発生器９１３をもって無線基地局を構成する。
【００６０】
９０７は、デジタル基地局Ａ８０２−ｍを介して後述する移動局８０６から送られてくる基地局指定信号を検出する基地局指定信号検出部である。９０８は、インターフェース部（Ｉ／Ｆ部）であり、このＩ／Ｆ部９０８を介してデジタル基地局Ａ８０２−ｍは、回線制御装置９２４と接続される。また、９１４は、アナログ基地局Ｂ８０３−１を介して後述する移動局８０６から送られてくる基地局指定信号を検出する基地局指定信号検出部である。９１５は、インターフェース部（Ｉ／Ｆ部）であり、このＩ／Ｆ部９１５を介してアナログ基地局Ｂ８０３−１は、回線接続装置９２４と接続される。９２１は、制御部であり、基地局指定信号検出部９０７および９１４からの基地局指定信号が入力され、この基地局指定信号に基づいてＩ／Ｆ部９０８および９１５が制御される。９２２は、カウンタ、９２３は、記憶部である。また、９２５、９２６は、電話等の端末装置である。
【００６１】
図１０は、移動局８０６の概略構成のブロック図を示す。図１０において、１００１は、デジタルＡ方式送受信部、１００２は、アナログＢ方式送受信部、１００３は、制御部、１００４は、回線接続装置、１００５、１００６は、電話等の端末装置である。デジタルＡ方式送受信部１００１は、アンテナ１０１１、アンテナ共用器１０１２、デジタルＡ方式受信部１０１３、デジタルＡ方式送信部１０１４、デジタルＡ方式受信部１０１３からのデジタル信号をアナログ信号に変換するＤＡＣ（デジタル／アナログ変換器）１０１５、基地局識別信号を検出する基地局識別信号検出器１０１６、Ｉ／Ｆ部１０１８、Ｉ／Ｆ部１０１８のアナログ信号出力をデジタル信号出力に変換し、デジタルＡ方式送信部１０１４に供給するＡＤＣ（アナログ／デジタル変換器）１０１７で構成されている。
【００６２】
また、アナログＢ方式送受信部１００２は、アンテナ１０２１、アンテナ共用器１０２２、アナログＢ方式受信部１０２３、アナログＢ方式送信部１０２４、基地局識別信号を検出する基地局識別信号検出器１０２５、Ｉ／Ｆ部１０２６で構成されている。また、制御部１００３は、カウンタ１０３１および記憶部１０３２を有し、基地局識別信号検出器１０１６および１０２５からの検出信号に基づいてＩ／Ｆ部１０１８および１０２６を制御する。
【００６３】
而して、上述した図９に示す統制局８０１−Ｂ、デジタル基地局８０２−ｍおよびアナログ基地局Ｂ８０３−１の構成は、図３に示す構成とほぼ同じであり、異なる点は、デジタル基地局８０２−ｍの入出力がデジタル信号であり、そのためデジタル基地局８０２−ｍがＤＡＣ９０５およびＡＤＣ９０６を介して統制局８０１−Ｂに結合されることである。従って、図９に示すシステムの動作は、図３に示すシステムの動作とほぼ類似するので、その動作説明は省略する。また、上述した図１０に示すデジタルＡ方式送受信部１００１、アナログＢ方式送受信部１００２、制御部１００３、回線制御装置１００４の構成は、図４に示す構成とほぼ同じであり、異なる点は、デジタルＡ方式送受信部１００１の入出力がデジタル信号であり、そのためデジタルＡ方式受信部ＡＲｘ１０１３のデジタル出力信号がＤＡＣ１０１５でアナログ信号に変換されＩ／Ｆ部１０１８に入力され、また、Ｉ／Ｆ部１０１８からのアナログ出力信号がＡＤＣ１０１７でデジタル信号に変換され、デジタルＡ方式送信部ＡＴｘ１０１４に供給されることである。従って、図１０に示す移動局８０６の動作も図４に示す移動局１０６とほぼ同じであるので詳細な動作説明は省略する。
【００６４】
なお、図９においては、統制局８０１−Ｂは、アナログ方式とし、デジタル基地局Ａ８０２−ｍをデジタル方式とし、デジタル基地局Ａ８０２−ｍの入出力信号をＤＡＣ９０５およびＡＤＣ９０６でアナログ信号に変換する方式について説明したが、この方式に限定られるものではなく、例えば、統制局８０１−Ｂをデジタル方式の統制局とし、アナログ基地局Ｂ８０３−１のアナログ入出力信号をＡ／Ｄ変換器およびＤ／Ａ変換器でデジタル信号に変換し、アナログ基地局Ｂ８０３−１をデジタル方式の統制局８０１−Ｂと接続するようにすることもできる。
【００６５】
以上、本発明について詳細に説明したが、本発明は、ここに記載された無線通信システムの実施例に限定されるものではなく、上記以外の無線通信システムのような方式の異なるシステムが混在する場合のシステムであっても容易に適応することが出来ることは、いうまでも無い。
【図面の簡単な説明】
【００６６】
【図１】本発明の一実施例の概略構成のブロック図を示す。
【図２】図１に示す本発明の一実施例の統制局および基地局の概略構成のブロック図を示す。
【図３】図１に示す本発明の一実施例の統制局および他の基地局の概略構成のブロック図を示す。
【図４】図１に示す本発明の一実施例の移動局の概略構成のブロック図を示す。
【図５】従来の無線通信システムの一例の概略構成のブロック図を示す。
【図６】本発明の動作を説明するための電界強度分布を示す図である。
【図７】本発明の他の一実施例の概略構成のブロック図を示す。
【図８】本発明の更に他の一実施例の概略構成のブロック図を示す。
【図９】図８に示す本発明の更に他の一実施例の統制局および基地局の概略構成のブロック図を示す。
【図１０】図８に示す本発明の更に他の一実施例の移動局の概略構成のブロック図を示す。
【符号の説明】
【００６７】
１０１：統制局、１０２、１０３：基地局、１０４、１０５、５０１、５０２、７０４、７０５、８０４、８０５：漏洩同軸ケーブル、１０６、５３０、７０６、８０６：移動局、２０１、２１０、３０１、３１０、４１２、４２２、５０５、５０９、５３２、９０１、９１０、１０１２、１０２２：共用器、２０２、３０２、４１３：アナログＡ方式受信部、２０３、３０３、４１４：アナログＡ方式送信部、２０４、２１３、３０４、３１３、５０８、５１２、５３５、９１３：基地局識別信号発生器、２１１、３１１、４２３、９１１、１０２３：アナログＢ方式受信部、２１２、３１２、４２４、９１２、１０２４：アナログＢ方式送信部、２２１、２２２、３０５、３１４、５２１、５２２、９０７、９１４：基地局指定信号検出器、２２３、２２４、５２３、５２４：切替器、２２５、３２４、４０４、５２５、５３６、９２４、１００４：回線接続装置、２２６、２２７、３２５、３２６、４０５、４０６、５２６、５２７、９２５、９２６、１００５、１００６：端末装置、３０６、３１５、４１６、９０８、９１５、１０１８、１０２６：Ｉ／Ｆ部、２２０、３２１、４０３、９２１、１００３：制御部、３２２、４３１、９２２、１０３１：カウンタ、３２３、４３２、９２３、１０３２：記憶部、４０１：アナログＡ方式送受信部、４０２、１００２：アナログＢ方式送受信部、４１１、４２１、５３１、１０１１、１０２１：アンテナ、４１５、４２５、１０１６、１０２５：基地局識別信号検出器、５０３：基地局Ａ、５０４：基地局Ｂ、５０６、５１０、５３３：受信機、５０７、５１１、５３４：送信機、７０１、８０１−Ａ：デジタル統制局、７０２、８０２：デジタル基地局Ａ、７０３：デジタル基地局Ｂ、８０１−Ｃ：アナログ統制局、８０３：アナログ基地局Ｂ、９０２、１０１３：デジタルＡ方式受信部、９０３、１０１４：デジタルＡ方式送信部、９０４：デジタル識別信号発生器、９０５、１０１５：ＤＡＣ、９０６、１０１７：ＡＤＣ、１００１：デジタルＡ方式送受信部。
【図１】
0004685689.tif 000005
【図２】
0004685689.tif 000006
【図３】
0004685689.tif 000007
【図４】
0004685689.tif 000008
【図５】
0004685689.tif 000009
【図６】
0004685689.tif 000010
【図７】
0004685689.tif 000011
【図８】
0004685689.tif 000012
【図９】
0004685689.tif 000013
【図１０】
0004685689.tif 000014